(57)【要約】      （修正有）【課題】蓋体の上面にも料理を盛り付け可能とし、料理の品数の増加や料理の演出が多彩で比較的容易に行える様に成した弁当箱を提供する。【解決手段】方形箱型の弁当箱本体２と、弁当箱本体２の上方開口部２ａを開閉自在に被冠する蓋体３とから成り、蓋体３は、上方開口部２ａより若干大きい方形平板状の基板３ａと、基板３ａの外周縁の上下側の夫々に所定高さの突縁３ｂ、３ｃを設け、下側突縁３ｃにおいて少なくとも対向する１対の中央部位には、その下側縁から基板３ａ下面へわたって切欠された凹欠部を設け、下側突縁３ｃの各隅角部の内角部には、底面視Ｌ字板状にして且つ下側突縁３ｃの下側縁より下方突出する脚部５を、弁当箱本体２への被冠状態でその内角部が上方開口部２ａの隅角部の外角側に当接可能に隣接配設する。【選択図】図４
0003201511.tif 000002
【実用新案登録請求の範囲】
【請求項１】
方形箱型の弁当箱本体と、該弁当箱本体の上方開口部を開閉自在に被冠する蓋体とから成り、該蓋体は、前記上方開口部より若干大きい方形平板状の基板と、該基板の外周縁の上下側の夫々に所定高さの突縁を設け、下側突縁において少なくとも対向する１対の中央部位には、その下側縁から基板下面へわたって切欠された凹欠部を設け、下側突縁の各隅角部の内角部には、底面視Ｌ字板状にして且つ下側突縁の下側縁より下方突出する脚部を、弁当箱本体への被冠状態でその内角部が前記上方開口部の隅角部の外角側に当接可能に隣接配設したことを特徴とする弁当箱。
【請求項２】
弁当箱本体と蓋体は、平面視正方形状に形成され、蓋体の各辺の下側突縁には上記凹欠部を設けて成り、弁当箱本体に対し蓋体を４５度位相してこれらの隅角部が相互に対応することのない蓋体の被冠状態で、上記上方開口部の端面上に上記基板下面が接地して、且つ各辺の凹欠部より弁当箱本体の各隅角部が外方突出する様に、凹欠部の長さを設定したことを特徴とする請求項１記載の弁当箱。
【考案の詳細な説明】
【技術分野】
【０００１】
本考案は、主に、宴席や会席料理等に用いられる弁当箱に関する。
【背景技術】
【０００２】
従来、この種の弁当箱として、特許文献１にも開示されている様に、宴席、会席料理等に用いられる弁当箱が知られている。
【０００３】
この弁当箱は方形箱型の弁当箱本体と、該弁当箱本体の上方開口部を開閉自在に被冠する蓋体とから構成されている。
そして、弁当箱本体内にはご飯や煮物、焼き物などの料理を盛った小鉢や小皿等を収容し、蓋体が弁当箱本体に被冠され、かかる状態で配膳される。
【先行技術文献】
【特許文献】
【０００４】
【特許文献１】実用新案登録第３１７４４６０号公報
【考案の概要】
【考案が解決しようとする課題】
【０００５】
上記の様な弁当箱では、蓋体を開けるまでは弁当箱本体内の料理は見られず、中身の料理が豪華であっても、その外観はどうしても見劣りしていた。
又、弁当箱本体内に収容可能な食器の大きさや形状は限定されるため、当然ながら料理や品数も限定されることになる。
そこで、本考案では、蓋体の上面にも料理を盛り付け可能とし、料理の品数の増加や料理の演出が多彩で比較的容易に行える様に成した弁当箱を提供することを目的としている。
【課題を解決するための手段】
【０００６】
上記課題に鑑み、本考案の弁当箱は、方形箱型の弁当箱本体と、該弁当箱本体の上方開口部を開閉自在に被冠する蓋体とから成り、該蓋体は、前記上方開口部より若干大きい方形平板状の基板と、該基板の外周縁の上下側の夫々に所定高さの突縁を設け、下側突縁において少なくとも対向する１対の中央部位には、その下側縁から基板下面へわたって切欠された凹欠部を設け、下側突縁の各隅角部の内角部には、底面視Ｌ字板状にして且つ下側突縁の下側縁より下方突出する脚部を、弁当箱本体への被冠状態でその内角部が前記上方開口部の隅角部の外角側に当接可能に隣接配設したことを特徴とする。
又、弁当箱本体と蓋体は、平面視正方形状に形成され、蓋体の各辺の下側突縁には上記凹欠部を設けて成り、弁当箱本体に対し蓋体を４５度位相してこれらの隅角部が相互に対応することのない蓋体の被冠状態で、上記上方開口部の端面上に上記基板下面が接地して、且つ各辺の凹欠部より弁当箱本体の各隅角部が外方突出する様に、凹欠部の長さを設定したことを特徴とする。
【考案の効果】
【０００７】
要するに本考案は、方形箱型の弁当箱本体と、該弁当箱本体の上方開口部を開閉自在に被冠する蓋体とから成り、該蓋体は、前記上方開口部より若干大きい方形平板状の基板と、該基板の外周縁上側に所定高さの突縁を設けたので、蓋体を食膳の様にして蓋体上からの料理を盛った小鉢や小皿等の脱落を防止し、弁当箱本体のみならず、蓋体上にも料理を盛った小鉢や小皿等を載置することができ、料理の品数の増加や料理の演出が多彩で比較的容易に行える。
又、基板の外周縁下側に所定高さの突縁を設け、下側突縁において少なくとも対向する１対の中央部位には、その下側縁から基板下面へわたって切欠された凹欠部を設けたので、弁当箱本体に被冠した状態の蓋体を持ち上げる際に、指がかかり易く、しかも下側突縁の各隅角部の内角部には、底面視Ｌ字板状にして且つ下側突縁の下側縁より下方突出する脚部を、弁当箱本体への被冠状態でその内角部が上記上方開口部の隅角部の外角側に当接可能に隣接配設したので、弁当箱本体への蓋体の被冠状態で下側突縁と弁当箱本体の上端外側との間に脚部の肉厚分の間隔を保持でき、弁当箱本体上から蓋体を持ち上げるに際し指先を凹欠部からその奥方へと差し込めるため、しっかりと確実に蓋体を持ち上げられる。
又、弁当箱の保管において、蓋体同士で複数積み重ねる場合には、上側突縁上に下側突縁を合致させるだけで、脚部の外角部が上側突縁の隅角部の内角部に掛止し、横ずれを防止できるため、その積み重ね状態を安定保持できる。
【０００８】
又、弁当箱本体と蓋体は、平面視正方形状に形成され、蓋体の各辺の下側突縁には上記凹欠部を設けて成り、弁当箱本体に対し蓋体を４５度位相してこれらの隅角部が相互に対応することのない蓋体の被冠状態で、上記上方開口部の端面上に上記基板下面が接地して、且つ各辺の凹欠部より弁当箱本体の各隅角部が外方突出する様に、凹欠部の長さを設定したので、下側突縁が邪魔とならず、弁当箱本体の上方開口部の端面上に弁当箱本体に対し４５度ずらして蓋体を安定配置でき、各辺の下側突縁の対向する端縁部が、凹欠部より外方突出する弁当箱本体の各隅角部のずれ止めとなり、その被冠状態を安定保持できる。
したがって、弁当箱への料理の盛り付けに際し、上記の様に弁当箱本体に対し蓋体を４５度ずらして被冠すると共に、該蓋体上に料理を盛った小鉢や小皿等を載置すれば、凹欠部より外方突出して蓋体で覆い隠されずに露出した弁当箱本体の上方開口部の各隅角部から、弁当箱本体内に料理が収容されているかを最終的に視認でき、弁当箱本体内に料理が収容されていないといった失態のない確実な配膳ができる等その実用的効果甚だ大である。
【図面の簡単な説明】
【０００９】
【図１】平面視正方形の弁当箱の正面図である。
【図２】同上平面図である。
【図３】同上底面図である。
【図４】料理を盛り付けた弁当箱の一例を示す断面図である。
【図５】食事の際の配膳状態の一例を示す断面図である。
【図６】蓋体を弁当箱本体に対し４５度ずらした状態を示す平面図である。
【図７】同上正面図である。
【図８】弁当箱の保管状態の一例を示す断面図である。
【図９】平面視長方形の弁当箱の正面における半断面図である。
【図１０】同上側面における半断図である。
【図１１】同上左半分が平面を、右半分が底面を示す図である。
【考案を実施するための形態】
【００１０】
以下本考案の実施の一形態例を図面に基づいて説明する。
本考案に係る弁当箱１は、ＡＢＳ樹脂等の合成樹脂製にして方形箱型の弁当箱本体２と、該弁当箱本体２の上方開口部2aを開閉自在に被冠する蓋体３とから成る。
【００１１】
図１〜８に示す弁当箱１（弁当箱本体２と蓋体３）は、平面視正方形状に形成され、弁当箱本体２は、正方形状の底板2cの各辺から正面視逆等脚台形状の側壁2bを外方に向かって傾斜配置し、底板2cより上方開口部2aを面積大と成し、底板2cにおける底部隅角部には、底面視Ｌ字板状の脚部2dを垂設している。
【００１２】
蓋体３は、弁当箱本体２の上方開口部2aより若干大きい正方形平板状の基板3aと、該基板3aの外周縁の上下側の夫々に所定高さの突縁3b、3cを設け、各下側突縁3cの中央部位には、その下側縁から基板3a下面へわたって切欠された凹欠部４を設けている。
この凹欠部４は、弁当箱本体２に被冠した状態の蓋体３を持ち上げる際に、指がかかり易い持ち手となる。
【００１３】
又、蓋体３において、下側突縁3cの各隅角部の内角部には、底面視Ｌ字板状にして且つ下側突縁3cの下側縁より下方突出する脚部５を、弁当箱本体２への被冠状態でその内角部が上方開口部2aの隅角部の外角側に当接可能に隣接配設している（図１、３、４参照）。
【００１４】
上記の様に、脚部５を形成することにより、弁当箱本体２への蓋体３の被冠状態で下側突縁3cと弁当箱本体２の上端（上方開口部2a）外側との間に脚部５の肉厚分の間隔を保持でき、弁当箱本体４上から蓋体３を持ち上げるに際し、指先を凹欠部４からその奥方へと差し込めるため、しっかりと確実に蓋体３を持ち上げられる。
【００１５】
そして、凹欠部４は、その長さ、即ち各辺の下側突縁3cの対向する端縁部4aの間隔Ｌが、弁当箱本体２に対し蓋体３を４５度位相して相互にこれら（弁当箱本体２及び蓋体３）の隅角部が対応することのない蓋体３の被冠状態（図６、７参照）で、上方開口部2aの端面上に基板3a下面が接地して、且つ各辺の凹欠部４より弁当箱本体２の各隅角部が外方突出する様に設定されている。
【００１６】
又、図９〜11には、他の実施例として、平面視長方形状に形成した弁当箱１を示す。
この弁当箱１は、左右側が上記の半分に短縮されたもので、左右の下側突縁3cのみに、持ち手となる凹欠部４を形成している。
その他の構成は、上記と同一のため、同一又は相当部分には同じ符号を図中に付し、説明は省略する。
【００１７】
上記の様に構成された弁当箱１にあっては、蓋体３の外周縁に所定高さの上側突縁3bを設けたので、使用に際し蓋体３を食膳の様にして蓋体３上からの料理を盛った小鉢や小皿等Ｄ（以下、料理等Ｄと称する。）の脱落を防止し、弁当箱本体２のみならず、蓋体３上にも料理等Ｄを載置でき、そのままの状態で卓上へと持ち運ぶことができる（図４参照）。
【００１８】
そして、食事の際の配膳状態では、弁当箱本体２から料理等Ｄを載せたまま蓋体３を下ろし、該蓋体３を料理等Ｄを配した食膳として用いる（図５参照）。
【００１９】
又、平面視正方形状の弁当箱１については、配膳前の弁当箱本体２及び蓋体３への料理等Ｄの盛り付けに際し、図６、７に示す様に、弁当箱本体２に対し蓋体３を４５度ずらして被冠する。
【００２０】
かかる状態では、弁当箱本体２内には、既に料理等Ｄが収容されており、蓋体３は、下側突縁3cが邪魔となることもなく、各辺の凹欠部４から弁当箱本体２の各隅角部が外方突出し、その基板3aの下面が弁当箱本体２の上方開口部2aの端面上に安定的に接地しており、各辺の下側突縁3cの対向する端縁部4aが、凹欠部４より外方突出する弁当箱本体２の各隅角部のずれ止めとなり、その被冠状態を安定保持している。
【００２１】
そして、蓋体３上への料理等Ｄの盛り付け完了後であって、蓋体３を４５度ずらして弁当箱本体２の上方開口部2aを閉じて弁当箱１を運び出す前に、凹欠部４より外方突出して蓋体３で覆い隠されずに露出した弁当箱本体２の上方開口部2aの各隅角部から、弁当箱本体２内に料理が収容されているかを最終的に視認する。
この後に、相互の隅角部が合致する様に蓋体３を弁当箱本体２に対し４５度ずらして上方開口部2aを完全に閉じ弁当箱１を運び出し、卓上に配膳する。
【００２２】
又、弁当箱１の不使用時には、弁当箱本体２は弁当箱本体２同士を重ね入れ、蓋体３は蓋体３同士を積み重ねる。
即ち、蓋体３は、その上側突縁3b上に下側突縁3cを合致させることにより、脚部５の外角部が上側突縁3bの隅角部の内角部に掛止して上下相互の横ずれが防止され、積み重ねた蓋体３の最下段を、上記の様に積み重ねた弁当箱本体２の最上段の弁当箱本体２に被冠することにより、弁当箱１同士を単純に積み重ねる場合よりも全体の嵩を低くして保管できる（図８参照）。
【符号の説明】
【００２３】
２  弁当箱本体
2a  上方開口部
３  蓋体
3a  基板
3b  上側突縁
3c  下側突縁
４  凹欠部
５  脚部
Ｌ  凹欠部の長さ
【図１】
0003201511.tif 000003
【図２】
0003201511.tif 000004
【図３】
0003201511.tif 000005
【図４】
0003201511.tif 000006
【図５】
0003201511.tif 000007
【図６】
0003201511.tif 000008
【図７】
0003201511.tif 000009
【図８】
0003201511.tif 000010
【図９】
0003201511.tif 000011
【図１０】
0003201511.tif 000012
【図１１】
0003201511.tif 000013